(57)【特許請求の範囲】
【請求項１】
板材３０における幅方向に間隔を置いた複数の部分が、上縁部３１と下縁部３２を残して所定の幅で上下方向に連続して打ち出し加工され、上下方向に連続した１条のスリット状の孔３３を幅方向に間隔を置いて複数有すると共に、その各孔３３の上開口縁及び下開口縁と連続して裏面側に突出した複数の帯条片３４を有し、
前記各帯条片３４は、板材３０と平行で、かつ板材３０の裏面側に間隔を置いて位置し、その帯条片３４の上縁部３４ａが前記孔３３の上開口縁と一体的に滑らかに連続し、かつ帯条片３４の下縁部３４ｂが前記孔３３の下開口縁と一体的に滑らかに連続していることを特徴とするレンジ用フィルター。
【請求項２】
フード本体４０内にフィルター３７を縦向きに取付け、送風機４８を駆動することでフード本体４０内の空気をフィルター３７を通して吸い込んで屋外に排出するレンジフードであって、
前記フィルター３７は、板材３０における幅方向に間隔を置いた複数の部分が、上縁部３１と下縁部３２を残して所定の幅で上下方向に連続して打ち出し加工され、上下方向に連続した１条のスリット状の孔３３を幅方向に間隔を置いて複数有すると共に、その各孔３３の上開口縁及び下開口縁と連続して裏面側に突出した複数の帯条片３４を有し、
前記各帯条片３４は、板材３０と並行で、かつ板材３０の裏面側に間隔を置いて位置し、その帯条片３４の上縁部３４ａが前記孔３３の上開口縁と一体的に滑らかに連続し、かつ帯条片３４の下縁部３４ｂが前記孔３３の下開口縁と一体的に滑らかに連続し、
前記板材３０の上縁部３１に洗浄液を供給するようにしたことを特徴とする洗浄装置付きレンジフード。
【発明の詳細な説明】
【０００１】
【発明の属する技術分野】
本発明は、調理時に発生した油煙等を屋外に排出するレンジフードに用いるレンジフード用フィルターに関する。
【０００２】
【従来の技術】
フード本体内に送風機とフィルターを取付け、調理時に発生した油煙中の油脂成分をフィルターで捕獲し、油脂成分の少ない油煙等を屋外に排出するレンジフードが知られている。
前述のレンジフードに用いるフィルターとしては、例えば図１に示すようにスリット状の孔１を上下方向、左右方向に間隔を置いて多数有する多孔板２からなるグリスフィルター（スロットフィルター）と呼ばれるフィルターが知られている。
【０００３】
従来の多孔板２からなるフィルターであると、調理時に発生した油煙等の一部が多数の孔１を通過するので、捕獲できない油脂成分の量が多く油脂成分の捕獲効率が悪いフィルターである。
このことを解消して油脂成分の捕獲効率を向上したフィルターが提案されている。
例えば、特開平６−３３７１４２号公報に示すように、２枚の多孔板をそれぞれの開孔が重なり合わないようにして所定間隔隔てて配されたフィルターが提案されている。
【０００４】
このフィルターであれば、１枚目の多孔板の開孔を通過した油煙等が２枚目の多孔板に衝突するので、油脂成分の捕獲効率が向上する。
【０００５】
【発明が解決しようとする課題】
前述の２枚の多孔板からなるフィルターであると、多孔板を２枚用いるので材料費が高いし、２枚の多孔板を開孔が重なり合わないように所定間隔隔てて組み立てするので、その組み立て作業が面倒であり、これらが相俟って製造コストが高くなってしまう。
【０００６】
そこで、本発明は前述の課題を解決できるようにしたレンジフード用フィルターを提供することを目的とする。
【０００７】
【課題を解決するための手段】
レンジフードを長期使用するとフィルターの表面に油脂成分が多量に付着するので、そのフィルターを定期的に取り外して洗浄することが好ましい。
このように、使用者がフィルターを定期的に取り外して洗浄することは大変面倒である。このことを解消するためにフィルターの上縁部に洗浄液を供給し、フィルター表面に沿って洗浄液を流下することで付着している油脂成分を洗い流して洗浄する洗浄装置付きレンジフードが種々提案されている。
【０００８】
前述の洗浄装置付きレンジフードに図１に示すフィルターを使用したところ次のような不具合が生じた。
送風機は油煙のみでなくキッチン室内のホコリも吸引するので、フィルターの表面には油脂成分の他にホコリが付着する。このホコリの中には衣類、カーペット等から発生する繊維状のホコリがある。このホコリはフィルター表面に付着すると共に、孔１にからみ付く。
このために、図１に示すフィルターの上縁部３に洗浄液を供給して表面に沿って流下した時に、前述のホコリが洗浄液により表面に沿って流下するが、孔１にからみ付いたホコリは孔１の下部開口縁４（つまり、上下に隣接する孔１間の部分）に引っかかり流下しないので、そのホコリを洗浄できない。
しかも、引っかかったホコリにも油脂成分が付着するようになるので油脂成分の洗浄能力が低下する。
【０００９】
また、孔１の下縁部４に引っかかったホコリは長期の使用により固まりとなり蓄積する。この固まって蓄積されたホコリ５が図２に示すようにフィルター表面よりも突出すると、流下した洗浄液がそのホコリ５に衝突して矢印ａで示すように表面側に飛びはねる。
【００１０】
前述のようにホコリ５に衝突して飛びはねた洗浄液はフィルター表面から遠く離れた場所に落下する。特にフィルターの上部寄りのホコリ５に衝突して飛びはねた洗浄液はフィルター表面からより遠く離れた場所に落下する。
このために、フィルターの下部に飛びはねた洗浄液を受けるトレイ６をフード本体内部に配置して洗浄液が調理器具に落下しないようにする必要がある。
しかしながら、フード本体内部に前述のように大きなトレイ６を配置すると、油煙等の流れの邪魔になりレンジフードの排気効率が低下する原因となる。
【００１１】
このように、洗浄装置付きレンジフードに上下方向及び左右方向に間隔を置いて多数の孔１を形成した多孔板２からフィルターを用いると、繊維状のホコリを洗浄できない、油脂成分の捕獲効率が低下する、大きなトレイを設けることにより油煙等の排気効率が低下するなどの不具合を生じる。
【００１２】
そこで、本発明者等は油脂成分の捕獲効率、コスト及び繊維状のホコリの洗浄等について鋭意研究、実験したところ、図３に示すように、上縁部３と下縁部７に連続した１条のスリット状の孔１を左右方向に間隔を置いて形成した多孔板８をフィルターとして用いたところ、孔１にからみ付いたホコリは洗浄液によってほとんどが流下し、図４に示すように孔１の下縁部９にホコリ５が僅かに引っかかる程度であった。
【００１３】
このことから、スリット状の孔を上下方向に連続した１条とすることで繊維状のホコリを洗浄できるし、油脂成分の洗浄効率が向上する。フィルターの表面側に飛びはねる洗浄液の量が少なく、かつフィルターの表面の近くに落下するので、トレイを小さくして油煙等の排気効率が向上することを見出した。
【００１４】
図３に示すフィルターであると油脂成分の捕獲効率が悪いので、図５に示すように上縁部３と下縁部７に連続した１条のスリット状の孔１を左右方向に間隔を置いた第１の多孔板８−１と第２の多孔板８−２をその孔１が全て重なり合うことがないように図６に示すように組み合せてフィルターとしたところ、２つの多孔板で油脂成分が捕獲できて油脂成分の捕獲効率が向上すると共に、フィルターの強度も使用に耐える十分な強度であった。
【００１５】
前記第１の多孔板８−１の上縁には下向き鉤形の上横支持片１０、左右縦縁にはヒレ状の縦支持片１１が裏面側に向けて一体的に設けてある。例えば板材を折曲げて上横支持片１０、縦支持片１１としてある。下縁部７に透孔１２が形成してある。
前記第２の多孔板８−２の上縁、左右縦縁にはヒレ状の上横片１３、縦片１４が表面側に向けて一体的に設けてある。例えば板材を折り曲げ上横片１３、縦片１４としてある。下縁部７にはナット１５が固着してある。
【００１６】
第１の多孔板８−１の裏面に沿って第２の多孔板８−２を下から上に向けてスライドすることで縦片１４が縦支持片１１に接し、横片１３が上横支持片１０に嵌まり込む。透孔１２からボルト１６をナット１５に螺合して連結することで第１の多孔板８−１と第２の多孔板８−２を組み合せる。
【００１７】
このようであるから、第１の多孔板８−１と第２の多孔板８−２を簡単に所定の間隔を置いて左右に位置決めして第１の多孔板８−１と第２の多孔板８−２の孔１が重なり合わないように組み合せできる。
【００１８】
前述のフィルターに洗浄液を供給するには図６に示すように第１の多孔板８−１の上縁部３と対向して円弧状に湾曲したプレート１７を左右方向全長に亘って形成して洗浄液溜め部１８を形成し、このプレート１７と上縁部３との間の隙間から洗浄液を落下供給する。
【００１９】
また、フィルターに洗浄液を供給するには図７と図８に示すようにしても良い。つまり、第１の多孔板８−１の上縁部３における左右に隣接した孔１間の上下方向に連続した表面部分１９と対向した部位に孔２０を形成する。この孔２０をプレート１７の下端面よりも上方位置とする。
このようにすれば、洗浄液溜め部１８内の洗浄液が孔２０から第２の多孔板８−２の表面側に落下供給するので、第１・第２の多孔板８−１，８−２の表面に確実に洗浄液を供給できる。
なお、孔２０は孔１と対向した部分でも良いし、孔２０を左右方向に連続した１つのスリット状の孔としても良い。つまり、第１の多孔板８−１の上縁部３に表面から裏面に洗浄液が流れる洗浄液流通部を形成すれば良い。
【００２０】
前述のフィルターであればホコリの洗浄、油脂成分の捕獲効率、油煙等の排気効率、強度などの面で十分満足できたが、本発明の課題である製造コストの面を満足できなかった。
【００２１】
前述のことに鑑み本発明者等がさらに鋭意研究・実験して本発明に至った。
【００２２】
第１の発明は、板材３０における幅方向に間隔を置いた複数の部分が、上縁部３１と下縁部３２を残して所定の幅で上下方向に連続して打ち出し加工され、上下方向に連続した１条のスリット状の孔３３を幅方向に間隔を置いて複数有すると共に、その各孔３３の上開口縁及び下開口縁と連続して裏面側に突出した複数の帯条片３４を有し、
前記各帯条片３４は、板材３０と平行で、かつ板材３０の裏面側に間隔を置いて位置し、その帯条片３４の上縁部３４ａが前記孔３３の上開口縁と一体的に滑らかに連続し、かつ帯条片３４の下縁部３４ｂが前記孔３３の下開口縁と一体的に滑らかに連続していることを特徴とするレンジ用フィルターである。
第２の発明は、フード本体４０内にフィルター３７を縦向きに取付け、送風機４８を駆動することでフード本体４０内の空気をフィルター３７を通して吸い込んで屋外に排出するレンジフードであって、
前記フィルター３７は、板材３０における幅方向に間隔を置いた複数の部分が、上縁部３１と下縁部３２を残して所定の幅で上下方向に連続して打ち出し加工され、上下方向に連続した１条のスリット状の孔３３を幅方向に間隔を置いて複数有すると共に、その各孔３３の上開口縁及び下開口縁と連続して裏面側に突出した複数の帯条片３４を有し、
前記各帯条片３４は、板材３０と並行で、かつ板材３０の裏面側に間隔を置いて位置し、その帯条片３４の上縁部３４ａが前記孔３３の上開口縁と一体的に滑らかに連続し、かつ帯条片３４の下縁部３４ｂが前記孔３３の下開口縁と一体的に滑らかに連続し、
前記板材３０の上縁部３１に洗浄液を供給するようにしたことを特徴とする洗浄装置付きレンジフードである。
【００２３】
【作用】
第１・第２の発明によれば、孔３３を通過した油煙等が帯条片３４に衝突して油煙中の油脂成分が帯条片３４に付着するので、油煙中の油脂成分の捕獲効率が向上する。
板材３０を打ち出し加工すれば良いので、製造コストが安い。
第１の発明によれば、板材３０の上縁部３１に洗浄液を供給することで、その洗浄液は帯条片３４に沿って流れ落ちるので、孔３３にからみ付いた繊維状のホコリは、前述のように帯条片３４に沿って流れ落ちる洗浄液によって洗い落としされ、孔３３の下開口縁に引っかかることがない。
これによって、繊維状のホコリを確実に洗浄できる。
【００２４】
【発明の実施の形態】
図９、図１０に示すように、所定の幅（左右方向寸法）と所定の高さ（上下方向寸法）で薄い板材３０における幅方向に間隔を置いた複数の部分の上縁部３１（上部）と下縁部３２（下部）を残して所定の幅で上下方向に連続して打ち出し加工し、上下方向に連続した１条のスリット状の孔３３を左右方向に間隔を置いて複数有すると共に、その各孔３３の上開口縁及び下開口縁と連続して裏面側に突出した帯条片３４を有する多孔板とする。
前記板材３０の上縁を鉤形に裏面側に向けて折り曲げて上支持横片３５とし、左右縦縁を裏面側に向けて折り曲げて縦支持片３６とする。
これによって、多孔板から成るフィルター３７としてある。
【００２５】
前記帯条片３４は板材３０と平行で、その上縁部３４ａが斜めとなって孔３３の上開口縁と一体的に滑らかに連続する。下縁部３４ｂが斜めとなって孔３３の下開口縁と一体的に滑らかに連続する。
つまり、帯条片３４は孔３３の裏面側に間隔を置いて対向し、その表面３４ｃは板材３０の表面３０ａと滑らかに連続している。
【００２６】
このようであるから、孔３３を通過した油煙が帯条片３４に衝突して油脂成分が帯条片３４の表面に付着するので、フィルターの油脂成分捕獲効率が向上する。
また、孔３３間の上下方向に連続した残存部分３８にビート加工３９が施してあるので、１条のスリット状の孔３３を有し、かつ板厚の薄い板状のフィルターの強度が十分となる。なお、ビード加工ではなく粉体塗装として強度を十分としても良い。
【００２７】
また、洗浄液を図１１に示すように上縁部３１に供給することで、その洗浄液は孔３３間の上下方向に連続した残存部分３８及び帯条片３４の表面に沿ってスムーズに流下するので、その表面に付着した油脂成分を洗浄できる。
【００２８】
また、孔３３にからみ付いた繊維状のホコリは帯条片３４に沿って流下する洗浄液によって洗い落しされ、孔３３の下開口縁に引っかかることがない。
これによって、繊維状のホコリを確実に洗浄できる。また洗浄液がフィルタ表面から遠く飛びはねることがなく、大きなトレイ等が不要であるからレンジフードの油煙等の排気効率が低下することがない。
【００２９】
しかも、一枚の板材を打ち出し加工しただけであるから製造コストが安い。
【００３０】
次に洗浄装置付きレンジフードの一例を図１２に基づいて説明する。
フード本体４０は上面板４１と前面板４２と背面板４３と左右側面板４４で下面を開口した箱状である。このフード本体４０内に仕切板４５が取付けられ、この仕切板４５の縦部４５ａ表面にフィルターケース４６が取付けてあり、仕切板４５の横部４５ｂに洗浄液タンク４７が取付けてある。
【００３１】
前記仕切板４５の縦部４５ａ裏面に送風機４８のケーシング４９が取付けてあり、そのケーシング４９内のファン５０がモータ５１で駆動される。
ファン５０が駆動するとフィルターケース４６の入口開口５２、フィルター３７、出口開口５３を経て吸込口５４に油煙等が吸込みされ、吐出口５５から上面板４１に取付けた図示しない排気ダクトで屋外に排出される。
【００３２】
前記フィルターケース４６の入口開口５２の上開口縁が円弧状に湾曲して洗浄液溜め部１８を形成するプレート１７としてある。
前記洗浄液タンク４７内の洗浄液は洗浄液ポンプモータ５６で駆動されるポンプ５７でパイプ５８を経て洗浄液溜め部１８に供給される。
洗浄液溜め部１８内の洗浄液はプレート１７とフィルター３７表面の隙間から落下してフィルター３７の表面に沿って流下し、フィルターケース４６底部の排水口５９から洗浄液タンク４７内に落下回収される。
これによって、循環式の洗浄装置を形成している。
【００３３】
以上の実施の形態は洗浄装置付きレンジフードのフィルターを示したが、洗浄装置を備えないレンジフードのフィルターの場合には油脂成分の捕獲効率を向上すると共に、製造コストを安くすれば良いので、図１３に示すように板材３０の上下方向、左右方向に間隔を置いた複数の部分を所定の幅で打ち出し加工して複数の孔３３と、この各孔３３の上開口縁、下開口縁と一体的に連続した帯状片３４を有する多孔板としても良い。
【００３４】
また、帯状片３４は孔３３の左右開口縁と一体的に連続するように（つまり、図１３の多孔板を上下と左右を反対とした多孔板）しても良い。
また、帯状片３４は裏面側に打ち出し加工したが、表面側に打ち出し加工しても良い。
【００３５】
【発明の効果】
請求項１，２に係る発明によれば、孔３３を通過した油煙等が帯条片３４に衝突して油煙中の油脂成分が帯条片３４に付着するので、油煙中の油脂成分の捕獲効率が向上する。
板材３０を打ち出し加工すれば良いので、製造コストが安い。
請求項１に係る発明によれば、板材３０の上縁部３１に洗浄液を供給することで、その洗浄液は帯条片３４に沿って流れ落ちるので、孔３３にからみ付いた繊維状のホコリは、前述のように帯条片３４に沿って流れ落ちる洗浄液によって洗い落としされ、孔３３の下開口縁に引っかかることがない。
これによって、繊維状のホコリを確実に洗浄できる。
【図面の簡単な説明】
【図１】従来のフィルターの斜視図である。
【図２】従来のフィルターの洗浄動作説明図である。
【図３】改良したフィルターの斜視図である。
【図４】改良したフィルターの洗浄動作説明図である。
【図５】更に改良したフィルターの分解斜視図である。
【図６】更に改良したフィルターの洗浄動作説明図である。
【図７】洗浄液の供給の仕方を改良したフィルターの分解斜視図である。
【図８】洗浄液の供給動作の説明図である。
【図９】本発明の実施の形態を示すフィルターの斜視図である。
【図１０】縦断面図である。
【図１１】洗浄動作説明図である。
【図１２】洗浄装置付きレンジフードの断面図である。
【図１３】フィルターの他の例を示す断面図である。
【符号の説明】
１…孔、５…ホコリ、６…トレイ、８−１…第１の多孔板、８−２…第２の多孔板、１７…プレート、１８…洗浄液溜め部、３０…板材、３３…孔、３４…帯条片、４０…フード本体、４６…フィルターケース、４７…洗浄液タンク、４８…送風機。
【図１】
0004356126.tif 000002
【図２】
0004356126.tif 000003
【図３】
0004356126.tif 000004
【図４】
0004356126.tif 000005
【図５】
0004356126.tif 000006
【図６】
0004356126.tif 000007
【図７】
0004356126.tif 000008
【図８】
0004356126.tif 000009
【図９】
0004356126.tif 000010
【図１０】
0004356126.tif 000011
【図１１】
0004356126.tif 000012
【図１２】
0004356126.tif 000013
【図１３】
0004356126.tif 000014